(57)【特許請求の範囲】
【請求項１】
ハウジングと、該ハウジングに保持され相手方のコンタクトと接触する複数の導体パッドが両面に形成された板状の絶縁体と、前記導体パッドに接続されるケーブルとを備えた電気コネクタ組立体において、
前記ケーブルは、差動伝送用の＋信号線及び−信号線並びに接地線からなる複数の組を有し、
１組を構成する前記＋信号線及び前記−信号線は前記絶縁体の一面の互いに隣接する導体パッドに接続されると共に、前記１組を構成する前記接地線は、前記１組を構成する前記＋信号線及び−信号線がそれぞれ接続された、互いに隣接する２個の前記導体パッドの中間に位置する他面の導体パッドに接続され、
前記１組を構成する３個の前記導体パッドは二等辺三角形の頂点にそれぞれ配置されると共に、前記１組に隣接する別の組の前記３個の導体パッドは逆向きの二等辺三角形の頂点にそれぞれ配置され、
前記１組の前記＋信号線或いは−信号線が接続された前記導体パッドと、前記別の組の同相の信号線が接続された前記導体パッドとが、最も近接するように前記導体パッドが配置されることを特徴とする電気コネクタ組立体。
【請求項２】
前記絶縁体に配置された信号用の前記導体パッドの列の外側に電源用の導体パッドが配置されることを特徴とする請求項１記載の電気コネクタ組立体。
【発明の詳細な説明】
【０００１】
【発明の属する技術分野】
本発明は電気コネクタ組立体および雌コネクタに関し、特に液晶モニタ及びパーソナルコンピュータ本体（又はマルチメディア中継ボックス）間の高速デジタル画像伝送、或いはコピー機及びサーバー間の高速デジタル画像伝送等に使用される高速信号伝送用の電気コネクタ組立体および雌コネクタに関する。
【０００２】
【従来の技術】
従来、電気コネクタに板状の絶縁体即ち基板を使用した雄コネクタが知られている。この一例として、例えば、実開平１−１５０３７９号公報に開示された雄コネクタの接触機構を図１６に示す。この雄コネクタ２００には、板状の絶縁体２０２の両面に複数の導体パターンが所定の間隔で設けられて雄コネクタ２００のコンタクト２０４として形成されている。これらのコンタクト２０４は、両面のコンタクト２０４が互いに逆向きになるように配置され、図示しない相手方のコネクタと嵌合して相手方の接触子２０６と電気的に接触するようになっている。
【０００３】
また、実開昭６３−１７２０７１号公報にはシールドシェルを備えた雌コネクタが開示されている。このシールドシェルは、１枚の金属板から折り曲げ形成されており、ハウジングの前面に被冠されるシールドシェル部と、このシールドシェル部から後方に折り曲げられる折り曲げ部と、折り曲げ部からさらに下方に折り曲げられた基板取付用のリテンションレグ部とから構成されている。シールドシェル部で相手コネクタのシールドと接触し、折り曲げ部、リテンションレグ部を介して基板に接地接続されることにより一体的なシールド（電磁遮蔽）が形成されるようになっている。
【０００４】
さらに、特表平１０−５１１２１１号公報には、同様なシールドシェルを備えた雌コネクタが開示されている。この雌コネクタは、相手コネクタと接触する金属シェルと、この金属シェルに電気的に接触する別体の接地部材とを有し、この接地部材が基板にはんだ付けされることにより基板に接地接続されるよう構成されている。
【０００５】
【発明が解決しようとする課題】
実開平１−１５０３７９号公報に開示された従来例の雄コネクタ即ち電気コネクタは、導体パターンにより形成される伝送通路間のクロストーク（漏話）が考慮されていないので、伝送される信号が影響されやすいという問題がある。
【０００６】
またこれらの導体パターンの内いくつかを電力用に使用した場合、同様にノイズが発生する可能性が一層大きくなる。
【０００７】
実開昭６３−１７２０７１号公報に開示された雌コネクタのシールドシェルは、１枚の金属板から打抜き折り曲げにより一体に形成されるものの、他方のコネクタとの接触部から基板に接地接続されるリテンションレグ部に至るまでの距離が長い。従って、接地経路のインダクタンスが大きくなりノイズが発生しやすい。
【０００８】
また、特表平１０−５１１２１１号に開示された雌コネクタのシールドシェルは、２つの部品から構成されるので部品点数が多く、また接地経路も長い。従ってこれも高速信号伝送用には適していない。
【０００９】
本発明は、以上の点に鑑みてなされたものであり、本発明の目的は、クロストークを防止し、高速伝送に適した電気コネクタ組立体を提供することにある。
【００１０】
本発明の他の目的は、安価で、インピーダンスの整合が容易な電気コネクタ組立体を提供することにある。
【００１１】
更に他の目的は、高速信号伝送に適した接地接続ができ、部品点数も少ない雌コネクタを提供することにある。
【００１２】
【課題を解決するための手段】
本発明の電気コネクタ組立体は、ハウジングと、該ハウジングに保持され相手方のコンタクトと接触する複数の導体パッドが両面に形成された板状の絶縁体と、前記導体パッドに接続されるケーブルとを備えた電気コネクタ組立体において、前記ケーブルが、差動伝送用の＋信号線及び−信号線並びに接地線を有し、前記＋信号線及び−信号線が前記絶縁体の一面の隣接する導体パッドに接続され、前記接地線が、前記＋信号線及び−信号線が夫々接続された隣接する前記導体パッドの中間に位置する他面の導体パッドに接続され、前記＋信号線或いは−信号線が接続された前記導体パッドと、隣接する他のケーブルの同相の信号線が接続された導体パッドとが、最も近接するように前記導体パッドが配置されることを特徴とするものである。
【００１３】
さらに、本発明の電気コネクタ組立体は、前記絶縁体に配置された信号用の前記導体パッドの列の外側に電源用の導体パッドが配置されるよう構成することができる。この場合、電源の接地接続用の導体パッドを信号用の導体パッドの側に配置し、活線側の導体パッドを前記接地接続用の導体パッドの外側に配置することが好ましい。また、電源用の導体パッドは、信号用の導体パッドの列の両側に配置することが好ましい。
【００１４】
本発明の雌コネクタは、雄コネクタを受容する略矩形の嵌合凹部内にコンタクトを保持する絶縁性のハウジングと、ハウジングに外装される金属製のシールド用のシェルとを備え、基板に取り付けられてシェルを介して基板に接地接続される雌コネクタにおいて、シェルが、少なくともハウジングの前面を覆う面板を有し、面板には嵌合凹部の上側および下側に雄コネクタと接触する複数のばね接触片が配設されると共に面板の下側には下側のばね接触片と近接して基板に接地接続される複数の舌片が突設されていることを特徴とするものである。
【００１５】
さらに、本発明の雌コネクタは、シェルの面板がハウジングの上壁を覆う上壁から折り曲げられてなると共に、シェルの上壁からはハウジングの各側壁を覆う側壁が折り曲げられてなり、各側壁には上側のばね接触片を基板に接地接続する他の舌片が突設されるよう構成することができる。
【００１６】
ここで、「シールド用」とは電磁遮蔽を行うことを意味するが、完全な電磁遮蔽を行なうものの他、不完全な電磁遮蔽を行なう場合も含む。
【００１７】
【発明の効果】
本発明の電気コネクタ組立体は、ケーブルが、差動伝送用の＋信号線及び−信号線並びに接地線を有し、＋信号線及び−信号線がハウジングに保持された板状の絶縁体の一面の隣接する導体パッドに接続され、接地線が信号線が接続された隣接する導体パッドの中間に位置する他面の導体パッドに接続され、信号線が接続された導体パッドと、隣接する他のケーブルの同相の信号線が接続された導体パッドとが、最も近接するように配置されるので、隣接する導体パッド同士が同相の信号線が近接するよう配置されることになり、互いに電気的に影響し合うことがなくなり、信号の立ち上がりを鈍らせることがなく、高速伝送に好適であると共に、クロストークが防止できる。導体パッドでコンタクトを形成したので、導体パッドの幅、隣接する導体パッドとの間隔を精度よく形成できるので、インピーダンスを最適に整合させることができる。
【００１８】
さらに、本発明の電気コネクタ組立体を、絶縁体に配置された信号用の導体パッドの列の外側に電源用の導体パッドを配置するよう構成した場合には、ノイズ源になりやすい電源を信号伝送路から離隔させ、信号のノイズを低減するとともに、コンタクトの熱放散を効率的に行うことができる。
【００１９】
本発明の雌コネクタは、シェルが、少なくともハウジングの前面を覆う面板を有し、面板には嵌合凹部の上側および下側に雄コネクタと接触する複数のばね接触片が配設されると共に面板の下側には下側のばね接触片と近接して基板に接地接続される複数の舌片が突設されているので、下側の接地経路を短くすることができ接地経路のインダクタンスを小さくすることができるので、耐ノイズ性が向上する。
【００２０】
シェルの面板がハウジングの上壁を覆う上壁から折り曲げられてなると共に、シェルの上壁からはハウジングの各側壁を覆う側壁が折り曲げられてなり、各側壁には上側のばね接触片を基板に接地接続する他の舌片が突設されるよう構成した場合は、上側、下側のばね接触片から最短の接地経路を構成するので接地経路が大きなループを形成せず、接地経路のインダクタンスを小さくできるので、耐ノイズ性が向上し高速信号伝送に適した雌コネクタが得られる。
【００２１】
【発明の実施の形態】
以下、本発明の電気コネクタ組立体（以下単にコネクタという）１の好ましい実施の形態について図面を参照して詳細に説明する。図１は、本発明のコネクタ１の正面図、図２は、図１に示すコネクタの底面図及び図３は、図１のコネクタの側面図を夫々示す。
【００２２】
以下、図１乃至図３を参照して説明する。コネクタ１は、図１に示すように後部が狭幅となった１組の樹脂製のカバー部材２と、このカバー部材２に収容される１組の金属製のシールド（遮蔽）用のシェル６を有する。カバー部材２は、１組のカバー部材半体２a、２bからなり、シェル６は、１組のシェル半体６a、６bからなる。このシェル６の内側には、１対のラッチアーム８を一体に有するハウジング即ち基板ホルダ（以下、単にホルダという）４が配置されている。ホルダ４は、その内部に絶縁性の基板（板状の絶縁体）１０を保持している。基板１０は嵌合部９の略中央に嵌合部９の長手方向に沿って配置されている。図２及び図３に最もよく示すように、シェル６は前部即ちコネクタ１の嵌合部９側を露出させた状態でカバー部材２により覆われている。
【００２３】
ラッチアーム８、８は、ホルダ４の前端部側面に固定端８aを有し斜め後方に延びる片持梁状に形成され、自由端８bはカバー部材２の側面１２に向けて折れ曲がりその側面１２上に摺動可能に位置する。図３に最もよく示すように、ラッチアーム８には、その長手方向の略中央に狭幅部１６と、その狭幅部１６に連続する後ろ向きの係合肩１４が形成されている。この係合肩１４はコネクタ１が後述する相手方の電気コネクタ１００（図１０）と嵌合するときに相手方のコネクタ１００と係合して互いに係止される。尚、ラッチアームはホルダ４の上面及び／又は下面に設けてもよい。また、カバー部材２には、その軸線に沿ってカバー部材２の略中央から後方に延びる膨出部２６が形成され、この中にケーブル７０が受容される。ホルダ４と基板１０との取付関係の詳細については後述する。
【００２４】
ここで、このコネクタ１に使用されるケーブルを、図４を参照して説明する。図４はケーブル７０の断面図である。このケーブル７０は、絶縁性の外被７２と、その内側を覆う接地導体として機能する編組線７４と、更にその内側に複数の細径ケーブル（ケーブル）８０を有する。なお、図４ではケーブル７０はその一部のみを示す。細径ケーブル８０は、一般的には、高速デジタル差動伝送用に好適なシールデッド・ツイステッド・ペア・ケーブルと称されるタイプのものである。図４から明らかなように、この細径ケーブル８０は、絶縁性の外被８０aと、この外被８０aの内面を覆うアルミ箔（接地導体）８０bと、このアルミ箔８０bの内側に３種類の電線８８を有する。これらの電線８８は、＋信号線８２、−信号線８４及び接地線８６から構成され、これら３つの電線８８は互いに捩られて細径ケーブル８０のアルミ箔８０b内に配置されている。＋信号線８２と、−信号線８４は、夫々、信号導体８２a、８４aを有すると共に、これらの信号導体８２a、８４aを被覆する絶縁性の外被８２b、８４bを有する。接地線８６は裸電線であり、アルミ箔８０bに接触した状態で収容されている。
【００２５】
次に図５乃至図７にコネクタ１の断面図を示す。図５は図３の５−５線、図６は図１の６−６線及び図７は図１の７−７線に夫々沿う断面図である。以下、図５乃至図７を参照して説明する。シェル半体６a、６bは、その側壁１５を互いに重ね合わせるようにして、内側にホルダ４を配置した状態で、例えば凹凸係合、或いはラッチ係合等公知の手法により互いに係止される。これによってホルダ４もシェル６内に保持される。ホルダ４の両側には基板１０を受容するガイド溝１７が形成され、中央部にはホルダ４の長手方向（図５における左右方向）に沿って延びる支持部１８、２０が形成されている。支持部１８、２０の間は基板を挿通する基板通路２２となっている。またホルダ４の前端部の上部両側には基板１０の上面１０aに当接する凸部２４が形成されている。基板１０は、ホルダ４により支持されると、基板１０の略中央部が支持部１８、２０によってホルダ４に支持されると共に、上面１０aの両側が基板１０の前端まで支持される。基板１０の前端部の露出した上下面には、後述する導電パッド３４（図８）が配置されている。
【００２６】
次に図７を参照して、ケーブル７０と基板１０との接続について説明する。ケーブル７０の端部２８は、コネクタ１の後部の膨出部２６内に配置されると共に、端部２８から露出した小ケーブル８０の電線８８が基板１０の後端に設けられた図示しない導体パッドにはんだ付等により接続される。尚、図７では小ケーブル８０の外被８０a及びアルミ箔８０bについては省略している。電線８８の先端からは、信号導体８２a、８４aが露出しており、これらの信号導体８２a、８４aと接地線８６が導体パッドに接続される。図７では説明のために電線８８が２本のみ撚り合わせた状態で示されているが、実際は３本１組を１単位とする電線８８が複数本、シェル６内に配置され、基板１０に接続されている。
【００２７】
ケーブル７０の内側に位置する編組線７４は、外被７２の先端から剥離されると共に、ケーブル７０の端部２８上に折り返されてシェル６の後部３０内に配置される。このシェル６の後部３０の外側およびケーブル７０の端部２８の外側には金属製のフェルール３２が被冠され、このフェルール３２が押圧され、圧着されることによりシェル６と編組線７４との電気的接続がなされる。
【００２８】
次に図８を参照して、基板１０について説明する。図８は導体パッド３４が所定の間隔で交互に設けられた基板１０を部分的に示した拡大正面図である。基板１０には導体パッド（以下、単にパッドという）３４が、基板１０の両面に基板１０の長手方向に沿って交互に配置されている。これらの導体パッドは、前述の、電線８８が接続された導体パッドと連結されている。パッド３４の幅は、インピーダンス整合が得られる幅に設定されている。電線８８との接続作業性及び相手コネクタとの嵌合性を考慮してパッド３４の長手方向の両端における幅がその他の部分の幅より大きいが、インピーダンス整合のためには、所定幅のパッド３４の長さができるだけ長い方が望ましい。或いはパッド３４を長手方向に沿って、同じ幅で一体に形成してもよい。この導体パッド３４の極性について説明すると、例えば、図８において最も左側に位置する導体パッド３４aが＋の差動信号を伝送し、導体パッド３４bが−の差動信号を伝送するとすれば、これらの極性を有する導体パッド３４は同じ上面１０a上に配置される。接地用のパッド３４cは、逆側となる面１０b上に、導体パッド３４a、３４bの中間に位置するように配置されている。これらの導体パッド３４a〜３４cには、前述の１組の電線８８の信号導体８２a、８４a及び接地線８６が対応して接続される。なお、図８には視覚的に理解できるように、＋、−、Ｇの記号を導体パッド３４近傍に付してある。
【００２９】
隣接する他の組のパッド３４d、３４e、３４fは、信号用のパッド３４d及び３４eが先の組の接地用のパッド３４cと同じ側に配置される。その時、−の差動信号を伝送するパッド３４dは、同じ−の差動信号を伝送する先の組のパッド３４bに近い側に配置される。接地用のパッド３４fは、パッド３４d、３４eと逆側に配置される。これは同じ極性を有するパッド３４同士を近接させることによって、互いの信号に影響を及ぼされることが回避されるようにするためである。即ち、信号の同じ方向に立ち上がるパルスの立ち上がりが遅延若しくは変形することが防止される。＋の差動信号を伝送するパッド３４eに隣接する図示しない３組目のパッドも、同じ＋の差動信号を伝送するパッドとなる。従って＋の差動信号を伝送するパッド３４eについても、隣接するパッドから影響を受けることが防止される。このように隣接する各単位の電線８８は、各単位間で同じ極性（同相）が互いに隣接するように、導体パッド３４に接続される。これによって、クロストーク防止が可能となる。
【００３０】
次に基板１０の全体の正面図を図９に示す。図９に示す基板１０には、基板１０の両側の両面に電源用の導体パッド（以下、パッド）３６が配置されている。この実施形態の場合、電源は２系統があるため電線８８のパッド列３４の外側の両側に各２個づつ配置されている。この時、電源の接地用のパッド３６aは電線８８用のパッド３４の側に配置され、電源の活線側のパッド３６bは、接地用のパッド３６aの逆側の面、且つパッド３４から更に遠い側に配置される。これによりパッド３４が電源用のパッド３６から受ける影響が低減され、信号線８２、８４用のパッド３４に電源からのノイズが進入する虞も小さくなる。なお、図９には接地用の導体パッド３６a近傍にＧの記号を付してある。
【００３１】
次にコネクタ１が嵌合する本発明の他方のコネクタ１００について、図１０及び図１１を参照して説明する。図１０は、他方の電気コネクタである雌コネクタ（以下、単にコネクタという）１００の斜視図であり、図１１はその縦断面図である。以下、図１０及び図１１を参照して説明する。このコネクタ１００は、嵌合凹部１０４を有する絶縁性のハウジング１０２と、このハウジング１０２の外側に外装される遮蔽（シールド）用のシェル１０６を有する。シェル１０６は、１枚の金属板を打抜き折り曲げして形成され、ハウジング１０２の上壁１１２、側壁１１４を覆う本体１５６及び前面１１６を覆う面板１２０を有する。ハウジング１０２の前面１１６を覆う面板１２０は、構造上、シェルの側壁１０８と切り離され、間隙Gが形成されている。
【００３２】
面板１２０の内側には、前述の嵌合凹部１０４に対応して開口１２２が形成され、この開口１２２の上下の内縁１２４からは所定の間隔でばね接触片１２６が嵌合凹部１０４内に進入するように折り曲げ形成されている。これらのばね接触片１２６がコネクタ１と嵌合したとき、コネクタ１のシェル６に接触して両コネクタが接地接続される。このコネクタ１００は図１１に仮想線で示す取付基板１７０に固定されて使用されるが、取付基板１７０上の図示しない接地導体への接地接続は、シールド１０６の各側壁１０８から垂下する舌片１１０によりなされるのが一般的である。即ち舌片１１０が取付基板１７０の対応する開口１２８内に配置され、この開口１２８と連通する接地導体（図示せず）とがはんだ付けされ、電気的に接続されるのが一般的である。換言すると、従来は上側のシェル１０６を基準にしている。
【００３３】
しかし、面板１２０の上側のばね接触片１２６と、下側のばね接触片１２６とでは、接地のための舌片１１０に至る経路の長さが異なる。即ち上側のばね接触片１２６からは、シェル１０６の上壁１３０から側壁１０８を経て舌片１１０に至る電気経路をとる。しかし、下側のばね接触片１２６の場合は、面板１２０の周辺を迂回してから狭幅な部分を通って上壁１３０に至り、更に側壁１０８を経て舌片１１０に至る経路をとることとなる。この為、下側のばね接触片１２６からの経路長が長くなって、接地経路が大きなループを形成し、インダクタンスを大きくするので、ノイズを拾いやすくなり、差動伝送の機能を妨げて伝送品質の低下、耐ノイズ性の低下の虞がある。
【００３４】
この為、面板１２０の下側に、面板１２０専用の舌片１１０と同様な舌片１３２を間隔をあけて２個切り起こして形成される。これらの舌片１３２は取付基板１７０の開口１３４（図１１）に挿入されて、最短経路で接地接続される。これによって伝送経路に大きな差が生じないようにしてある。
【００３５】
コネクタ１００の取付基板１７０への取付は、ハウジング１０２の側壁１１４から突設された２カ所の取り付けタブ１３６により行われる。即ち、取り付けタブ１３６の貫通孔１３６aに、図示しないねじが挿通されてねじ止めにより固定される。また、ねじ止めによらない場合は、シェル１０６に仮想線で示すリテンションレグ１５２（図１１）を設け、これにより取付基板１７０に固定してもよい。
【００３６】
なお、シェル１０６の上壁１３０の前端部には嵌合部に沿って、上壁１３０から切り起こされた接片１３８が複数個形成されているが、これはコネクタ１００の嵌合部を図示しない取付パネルに押し込んで、コネクタ１００の前部で取付パネルに接地接続するときに使用されるものである。図１１に示すようにシェル１０６の下側にも同じ目的で同様な接片１３８が形成されている。この接片１３８は、コネクタ１００を舌片１３２を使用して取付基板１７０上に接地接続する場合は、必ずしも必要ではない。
【００３７】
次に図１１を参照してコネクタ１００のコンタクトについて説明する。コンタクト１４０は、タイン部１４１が同じ形状を有し、接触アーム１４２がタイン部１４１から上側に折り曲げられたものと、下側に折り曲げられたものと２種類のコンタクト１４０a、１４０bから構成される。コンタクト１４０aの接触アーム１４２aと、コンタクト１４０bの接触アーム１４２bとは、対称形であり、互いに対向して内側に集束するように折り曲げられ、先端は他方のコンタクト、即ち前述のコネクタ１のパッド３４、３６を案内して接触するように外側に湾曲している。
【００３８】
コンタクト１４０の取付は、ハウジング１０２の後壁１４４に交互に形成されたコンタクト挿通孔１４６に、後方から押し込まれることにより、ハウジング１０２に圧入係止される。コンタクト１４０の先端部は、ハウジング１０２の後壁１４４の内面１４４aから前方、即ち嵌合部１５０に向けて突設されたカバー壁１４８により覆われて保護される。対称形のコンタクト１４０a、１４０bを通過する電気信号は、同じ形状のタイン部１４１を通過するので電気信号の伝送速度に差（スキュー）が生じない。従って、伝送品質、耐ノイズ性が維持される。
【００３９】
次に図１２乃至図１４に第２の実施形態となる本発明の雌コネクタ（以下、単にコネクタという）を示す。図１２はコネクタ３００の平面図、図１３は図１２のコネクタ３００の正面図、図１４は図１２のコネクタ３００の側面図を夫々示す。以下、図１２乃至図１４を参照して説明する。コネクタ３００のハウジング３０２は絶縁性の樹脂から成形され、略直方体形状を呈する。ハウジング３０２の前面３１６には、矩形の横長の開口３２２が形成され、この開口３２２からハウジング３０２の内方に嵌合凹部３０４が形成されている。図１３に最もよく示すように嵌合凹部３０４の略中央には、横方向に延びる上下２枚のプレート３４８、３４９が近接して、嵌合凹部３０４の後壁３４４から紙面に対し垂直方向に突設されている。上側のプレート３４８は下側のプレート３４９より僅かに長くなっている。各プレート３４８、３４９にはその長手方向に沿って複数のコンタクト３４０が所定の間隔で、互いのプレートの方に向いて配設されている。上側のプレートの両端部には電源用のコンタクトが２個づつ配置されている。
【００４０】
ハウジング３０２の外側には、ハウジング３０２と同様の形状のシールド用の金属製のシェル３０６が外装されている。シェル３０６は前述の実施形態のシェル１０６と同様な形状なので、詳細な説明は省略するが主な相違点について以下に説明する。シェル３０６の上壁３３０には、その後端３６２近傍の左右両側に形成された開口３６５内に、前方に向け且つ内側のハウジング３０２の方に傾斜しているラッチアーム３６４が形成されている。このラッチアーム３６４は、ハウジング３０２がシェル３０６の後端３６２側からシェル３０６内に挿入されると、ハウジング３０２の上壁３１２の突起３６６と協働してハウジング３０２の後方への抜けが阻止される。
【００４１】
ハウジング３０２の後部両側には直方体のブロック３８２が一体に突設されている。ブロック３８２には、シェル３０６の後端３６２に突設された後方タブ３８４を受容するタブ溝３８２ａが形成されており、ハウジング３０２をシェル３０６に装着したとき、後方タブ３８４がタブ溝３８２ａ内に入り込んで、ハウジング３０２の前方への移動を規制する。
【００４２】
また、シェル３０６の上壁３３０には、コ字状のスロット３７６により形成された舌片３７８が、ラッチアーム３６４近傍に２個ずつ向かい合わせに配置されている。他方ハウジング３０２の上壁３１２には舌片３７８に対向する位置に、両側に溝を有する断面Ｔ型の突起３８０が形成されている。舌片３７８は、この突起３８０の溝に両側から差し込まれて係止される。これによって、シェル３０６の上壁３３０がハウジング３０２の上壁３１２から浮き上がるのが阻止される。
【００４３】
第２の実施形態のコネクタ３００は、前面３１６が図示しないパネルに接して取付けられる形式なので、先の実施形態の接片１３８（図１０）に相当する構成がない。ばね接触片３２６は面板３２０から嵌合凹部３０４内に配列されており、下側については略等間隔に４個形成され、上側については両端部寄りに夫々２個づつ配置されている。上側の内側に位置する２個のばね接触片３２６の間には、シェル３０６の上壁３３０から、ハウジング３０２の前面３１６で湾曲して嵌合凹部３０４内に延びる内側延長部３６８が形成されている。内側延長部３６８の内面３６８ａには係止突起３７０が嵌合凹部３０４内に突設されている。この係止突起３７０は、図示しない雄コネクタと嵌合する際に互いに嵌合状態を維持するロック部となる。
【００４４】
面板３２０の下部からハウジング３０２の下面に折り曲げられた曲げ部３７２には、舌片３３２が切り起こされて形成されている。各舌片３３２は、下側のばね接触片３２６の近傍に対応して配置されている。これらの舌片３３２は、下側のばね接触片３２６から基板に至る接地経路を形成する。また、舌片３３２が、面板３２０に近接し且つ面板３２０と一体的に複数形成されているので、コネクタ１が挿入される際にこじりが生じても、その力を複数の舌片３３２が分散して受けることとなり、耐こじり性が向上する。
【００４５】
シェル３０６の上壁３３０からは、ハウジング３０２の側壁３１４を覆う側壁３０８が折曲により形成されている。このシェル３０６の側壁３０８の下端３０８ａには、前方寄りの部分に舌片３１０が、下方に突設されている。これらの舌片３１０は上側のばね接触片３２６から基板に至る接地経路を形成する。
【００４６】
次にコネクタ１とコネクタ１００を嵌合させた状態の断面図を図１５に示す。コネクタ同士が嵌合すると、コネクタ１のシェル６がコネクタ１００の嵌合凹部１０４内に進入し、シェル１０６のばね接触片１２６とシェル６が互いに接地接続される。また、基板１０がコンタクト１４０の接触アーム１４０a、１４０bの間に進入し、パッド３４、３６とコンタクト１４０の間で互いに電気的接続がなされる。この時コネクタ１のケーブル７０の編組線７４からシェル６を通って、コネクタ１００のシェル１０６、そして取付基板１７０に接地経路が連続して形成されフレームグラウンドとして形成される。また、電線８８の接地線８６から基板１０を経てコンタクト１４０に接続された接地経路はシグナルグラウンドを構成する。接地経路をこのように分離することで高速伝送に対応することができる。
【００４７】
このようにコネクタ１００は、前面１１６に嵌合凹部１０４を有する、取付基板１７０に取付けられる絶縁性のハウジング１０２と、このハウジング１０２に保持されるコンタクト１４０と、ハウジング１０２の前面１１６を覆い相手方のコネクタと接地接続される面板１２０を有すると共に、上壁１１２及び側壁１１４を覆う本体１５６を有する金属製のシェル１０６とを備えたコネクタにおいて、本体１５６及び面板１２０に夫々接地接続用の舌片１１０、１３２を設けたことを特徴とする。
【００４８】
これにより、コネクタ１００は、面板１２０の上下の接地接続部分（ばね接触片）１２６から取付基板１７０に至る接地経路にばね接触片１２６の位置による差がなくなり、最短経路で取付基板に接地接続ができる。その結果、接地経路が大きなループを形成せず、接地経路のインダクタンスを小さくできるので、耐ノイズ性の向上が可能となる。
【図面の簡単な説明】
【図１】本発明の電気コネクタ組立体の正面図
【図２】図１に示す電気コネクタ組立体の底面図
【図３】図１の電気コネクタ組立体の側面図
【図４】ケーブルの断面図
【図５】図３の５−５線に沿う断面図
【図６】図１の６−６線に沿う断面図
【図７】図１の７−７線に沿う断面図
【図８】導体パッドが所定の間隔で交互に設けられた基板を部分的に示した拡大正面図
【図９】基板の全体の正面図
【図１０】他方の雌コネクタの斜視図
【図１１】図１０の雌コネクタの縦断面図
【図１２】第２の実施形態となる本発明の雌コネクタの平面図
【図１３】図１２のコネクタの正面図
【図１４】図１２のコネクタの側面図
【図１５】本発明の電気コネクタ組立体と他方のコネクタを嵌合させた状態の断面図
【図１６】従来の電気コネクタの一例を示す斜視図
【符号の説明】
１    電気コネクタ組立体
４    ハウジング
１０    基板（板状の絶縁体）
３４、３６    導体パッド
７０    ケーブル
８２    ＋信号線
８４    −信号線
８６    接地線
１００、３００    雌コネクタ
１０２、３０２    ハウジング
１０４、３０４    嵌合凹部
１０６、３０６    シェル
１０８、３０８    シェルの側壁
１１０、１３２、３１０、３３２    舌片
１１２、３１２    ハウジングの上壁
１１４、３１４    ハウジングの側壁
１１６、３１６    ハウジングの前面
１２０、３２０    面板
１２６、３２６    ばね接触片
１３０、３３０    シェルの上壁
１４０、３４０    コンタクト
１７０    基板
【図１】
0003678990.tif 000002
【図２】
0003678990.tif 000003
【図３】
0003678990.tif 000004
【図４】
0003678990.tif 000005
【図５】
0003678990.tif 000006
【図６】
0003678990.tif 000007
【図７】
0003678990.tif 000008
【図８】
0003678990.tif 000009
【図９】
0003678990.tif 000010
【図１０】
0003678990.tif 000011
【図１１】
0003678990.tif 000012
【図１２】
0003678990.tif 000013
【図１３】
0003678990.tif 000014
【図１４】
0003678990.tif 000015
【図１５】
0003678990.tif 000016
【図１６】
0003678990.tif 000017